【手続補正書】
【提出日】平成17年3月23日(2005.3.23)
【手続補正１】
【補正対象書類名】特許請求の範囲
【補正対象項目名】全文
【補正方法】変更
【補正の内容】
【特許請求の範囲】
【請求項１】
アイコン言語通信ツールのための方法であって、
ユーザ・アイコン・セレクションを受信するためのアイコン言語通信テンプレートを生成する工程と、
前記アイコン言語通信テンプレートを提示する工程と、
前記アイコン言語通信テンプレートから前記ユーザ・アイコン・セレクションを受信する工程と、
通信ネットワークを介して１つまたは複数の仮想オブジェクトの取引を促進するユーザ・インターフェイスを提供する工程とを含む方法。
【請求項２】
前記ユーザ・アイコン・セレクションが言語アイコン・セレクションを含む請求項１に記載の方法。
【請求項３】
前記言語アイコンが仮想オブジェクト・セレクションを含む請求項２に記載の方法。
【請求項４】
前記ユーザ・アイコン・セレクションに基づいてユーザ取引テンプレートを生成する工程をさらに含む請求項３に記載の方法。
【請求項５】
前記ユーザ取引テンプレートが前記仮想オブジェクト・セレクションを表示するための仮想取引ビンを含む請求項４に記載の方法。
【請求項６】
前記ユーザ取引テンプレートを提示する工程と、
仮想取引を行うことの要求を受信する工程と、
前記仮想取引の結果を表示する工程とをさらに含む請求項４乃至５のいずれか１項に記載の方法。
【請求項７】
前記仮想取引を行うことの要求を前記受信する工程が、
選択された取引相手との前記仮想取引を行うことの要求を受信する工程と、前記選択された取引相手から前記仮想取引を行うことの受諾を受信する工程とを含む請求項６に記載の方法。
【請求項８】
ユーザ・ウェブ・ルーム・セレクションを受信するためのユーザ・ウェブ・ルーム・テンプレートを生成する工程と、
前記ユーザ・ウェブ・ルーム・テンプレートを提示する工程と、
前記ユーザ・ウェブ・ルーム・セレクションを受信する工程とをさらに含み、
前記ユーザ取引テンプレートを前記生成する工程が前記ユーザ・ウェブ・ルーム・セレクションにさらに基づく請求項４乃至７のいずれか１項に記載の方法。
【請求項９】
前記ユーザ・アイコン・セレクションを前記アイコン言語通信テンプレートに組み込む工程と、
組み込まれた前記ユーザ・アイコン・セレクションを有する前記アイコン言語通信テンプレートを他のユーザに提示する工程とをさらに含む請求項１乃至８のいずれか一項に記載の方法。
【請求項１０】
前記アイコン言語通信テンプレートが前記ユーザ・アイコン・セレクションに基づいてメッセージを構築するために仮想スピーチ・ボックスを含む請求項１乃至９のいずれか１項に記載の方法。
【請求項１１】
ユーザ・プロファイル・セレクションを受信するためのユーザ・プロファイル・テンプレートを生成する工程と、
前記ユーザ・プロファイル・テンプレートを提示する工程と、
前記ユーザ・プロファイル・テンプレートから前記ユーザ・プロファイル・セレクションを受信する工程とをさらに含み、前記アイコン言語通信テンプレートを前記提示する工程が前記ユーザ・プロファイル・セレクションにさらに基づく請求項１乃至１０のいずれか１項に記載の方法。
【請求項１２】
アイコン言語通信ツールのためのシステムであって、
ユーザ・アイコン・セレクションを受信するためのアイコン言語通信テンプレートを生成し、前記アイコン言語通信テンプレートを提示し、前記アイコン言語通信テンプレートから前記ユーザ・アイコン・セレクションを受信し、通信ネットワークを介して１つまたは複数の仮想オブジェクトの取引を促進するユーザ・インターフェイスを提供する
するためのホスト・システムを含むシステム。
【請求項１３】
ネットワークを介して前記ホスト・システムにアクセスするように構成されたユーザ・システムをさらに含む請求項１２に記載のシステム。
【請求項１４】
対応する第１および第２のユーザに対応する個々の第１および第２のオブジェクト在庫表を保存するために、および、前記取引の結果に基づいて前記第１および第２のオブジェクト在庫表を更新するためにホスト・システムと連絡しているデータベースをさらに含む請求項１２または１３に記載のシステム。
【請求項１５】
前記ユーザ・アイコン・セレクションが言語アイコン・セレクションを含む請求項１２乃至１４のいずれか１項に記載のシステム。
【請求項１６】
前記言語アイコンが仮想オブジェクト・セレクションを含む請求項１５に記載のシステム。
【請求項１７】
前記ユーザ・アイコン・セレクションに基づいてユーザ取引テンプレートを生成する前記ホスト・システムをさらに含む請求項１６に記載のシステム。
【請求項１８】
前記ユーザ取引テンプレートが前記仮想オブジェクト・セレクションを表示するための仮想取引ビンを含む請求項１６または１７に記載のシステム。
【請求項１９】
前記ユーザ取引テンプレートを提示し、
仮想取引を行うことの要求を受信し、
前記仮想取引の結果を表示する前記ホスト・システムをさらに含む請求項１７または１８に記載のシステム。
【請求項２０】
前記仮想取引を行うことの要求を前記受信することが、
選択された取引相手と前記仮想取引を行うことの要求を受信し、
前記選択された取引相手から前記仮想取引を行うことの受諾を受信する前記ホスト・システムを含む請求項１９に記載のシステム。
【請求項２１】
ユーザ・ウェブ・ルーム・セレクションを受信するためのユーザ・ウェブ・ルーム・テンプレートを生成し、
前記ユーザ・ウェブ・ルーム・テンプレートを提示し、
前記ユーザ・ウェブ・ルーム・セレクションを受信する前記ホスト・システムをさらに含み、前記ユーザ取引テンプレートが前記ユーザ・ウェブ・ルーム・セレクションにさらに基づく請求項１７乃至２０のいずれか１項に記載のシステム。
【請求項２２】
前記ホスト・システムは、前記ユーザ・アイコン・セレクションを前記アイコン言語通信テンプレートに組み込み、組み込まれた前記ユーザ・アイコン・セレクションを有する前記アイコン言語通信テンプレートを他のユーザに提示するようにさらに構成される請求項１２乃至２１のいずれか１項に記載のシステム。
【請求項２３】
前記アイコン言語通信テンプレートが前記ユーザ・アイコン・セレクションに基づいてメッセージを構築するために仮想スピーチ・ボックスを含む請求項１２乃至２２のいずれか１項に記載のシステム。
【請求項２４】
ユーザ・プロファイル・セレクションを受信するためにユーザ・プロファイル・テンプレートを生成し、
前記ユーザ・プロファイル・テンプレートを提示し、
前記ユーザ・プロファイル・テンプレートから前記ユーザ・プロファイル・セレクションを受信する前記ホスト・システムをさらに含み、
前記アイコン言語通信テンプレートを前記生成することが、前記ユーザ・プロファイル・セレクションにさらに基づく請求項１２乃至２３のいずれか１項に記載のシステム。
【請求項２５】
アイコン言語通信ツールのための機械読取り可能なコンピュータ・プログラム・コードで符号化された記憶媒体であって、請求項１乃至１１のいずれか１項に記載の方法をプロセッサに実施させるための命令を含む記憶媒体。
【請求項２６】
アイコン言語通信ツールのためのコンピュータ・データ信号であって、請求項１乃至１１のいずれか１項に記載の方法をプロセッサに実施させるために構成されたコードを含むコンピュータ・データ信号。